(57)【要約】【課題】  端子金具に螺着された銅線圧着端子を取外すとき、端子ねじが倒れないように、また、筺体外に脱落しないようにする構造において、量産性に適すると共に安価に生産できる端子構造を提供する。【解決手段】  端子金具３の背面側においてベース１に形成された凹穴部１ａと、この凹穴部１ａに内装され、かつ、圧縮ばね６により押圧されて、先端に摺接面を有する凸起部５ａが端子金具３のねじ孔３ａを貫通して端子金具３の表面側に突出する押上げ栓５と、端子ねじ４を端子金具３のねじ孔３ａから取り外したとき、端子ねじ４が押上げ栓５の凸起部５ａにより押上げられ、その状態を保持するようにカバー２の内面に形成された保持部２ａとを備え、電線９に設けられた銅線用圧着端子８を横方向から挿込んだとき、押上げ栓５を押込むことにより銅線用圧着端子８が螺着位置に挿込まれるようにした。【選択図】図３
2005149757.tif 000002
【特許請求の範囲】
【請求項１】
絶縁材料で形成されたベースとカバーからなる筺体の端部に設けられた端子金具に、電源回路または負荷回路の電線を端子ねじで螺着するように構成された回路遮断器の端子構造において、上記端子金具の背面側に対向するように上記ベースに形成された凹穴部と、この凹穴部に内装され、かつ、圧縮ばねにより押圧されて、先端に摺接面を有する凸起部が上記端子金具のねじ孔を貫通して端子金具の表面側に所定寸法突出するようになされた押上げ栓と、上記端子ねじを上記端子金具のねじ孔から取り外したとき、上記端子ねじが上記押上げ栓の凸起部により押上げられ、この押上げられた状態を保持するように上記カバーの内面に形成された保持部とを備え、上記端子ねじを取り外した状態で、上記電線に設けられた銅線用圧着端子を横方向から挿込んだとき、上記押上げ栓の摺接面に上記銅線用圧着端子が摺接して上記押上げ栓を押込むことにより銅線用圧着端子が螺着位置に挿込まれるようにしたことを特徴とする回路遮断器の端子構造。
【請求項２】
上記押上げ栓は、上記ベースに形成された凹穴部の内周にほぼ沿うように形成されたフランジ部を有し、このフランジ部を介して圧縮ばねにより押圧されるようにしたことを特徴とする請求項１記載の回路遮断器の端子構造。
【請求項３】
上記圧縮ばねよりも弱い圧縮力の保持圧縮ばねにより、上記圧縮ばねとは逆方向に押上げ栓を付勢するようにしたことを特徴とする請求項１または請求項２記載の回路遮断器の端子構造。
【請求項４】
上記押上げ栓の摺接面を半球状面にしたことを特徴とする請求項１ないし請求項３のいずれか１項記載の回路遮断器の端子構造。
【請求項５】
上記カバーの内面に形成された保持部に、端子ねじの頭部が嵌まり易いように形成されたガイド部を設けたことを特徴とする請求項１ないし請求項４のいずれか１項に記載の回路遮断器の端子構造。
【発明の詳細な説明】
【技術分野】
【０００１】
この発明は、ベースとカバーからなる筺体の端部に設けられた端子金具に、電源回路または負荷回路の電線を端子ねじで螺着するように構成された回路遮断器の端子構造に関するものである。
【背景技術】
【０００２】
従来、比較的小形の回路遮断器において、筺体の端部に設けられた端子金具に電源回路または負荷回路の電線を端子ねじで螺着する場合、一般に、電源回路または負荷回路の電線の先端に圧着端子を設けて、この圧着端子を介して端子金具に螺着されている。このような端子構造において、圧着端子が丸形圧着端子の場合には、端子ねじを端子金具から取り外ししなければ丸形圧着端子を端子金具のねじ孔の位置に挿込むことができない。従って、端子ねじを取り外しすると、端子ねじが筺体の中で倒れて締付けに手数がかかることがある。また、端子ねじが筺体外に脱落して紛失するなどの問題点もあった。
このため、端子金具から端子ねじを取り外ししたとき、端子ねじが倒れないように、また、筺体外に脱落しないように、端子ねじを圧縮コイルばねにより保持するようにした構成の端子装置が提案されている（例えば、特許文献１参照）。
【０００３】
【特許文献１】特開２００３−６８３８０号公報（要約、図１、図２、図４、図５）
【発明の開示】
【発明が解決しようとする課題】
【０００４】
従来の回路遮断器の端子構造では、丸形圧着端子を設けた電線を端子金具に螺着接続するとき、あるいは、螺着接続された電線を取り外すとき端子ねじを端子金具から取り外ししなければならないが、取り外した端子ねじを圧縮コイルばねにより保持する構成のために、端子ねじは特殊な形状の部品になる。即ち、日本工業規格（ＪＩＳ）による標準のねじ部品を使用することができない。また、丸形圧着端子を端子金具のねじ孔の位置に挿込むために、案内用の斜面を有する特殊な座金が必要になる。前記の端子ねじは特殊な形状のため量産性に適さず、また、座金も導電材料で形成された特殊な部品になるので、部品価格が高価になるなどの問題点があった。
【０００５】
この発明は上記のような問題点を解決するためになされたもので、端子金具から端子ねじを取り外したとき、端子ねじが倒れないように、また、筺体外に脱落しないように端子ねじを保持すると共に、端子ねじは日本工業規格（ＪＩＳ）による標準のねじ部品を使用し、他の部品も合成樹脂成型品を用いることができるようにして、量産性に適すると共に安価に生産できる回路遮断器の端子構造を提供することを目的とする。
【課題を解決するための手段】
【０００６】
この発明に係る回路遮断器の端子構造においては、絶縁材料で形成されたベースとカバーからなる筺体の端部に設けられた端子金具に、電源回路または負荷回路の電線を端子ねじで螺着するように構成された端子構造において、端子金具の背面側に対向するようにベースに形成された凹穴部と、この凹穴部に内装され、かつ、圧縮ばねにより押圧されて、先端に摺接面を有する凸起部が端子金具のねじ孔を貫通して端子金具の表面側に所定寸法突出するようになされた押上げ栓と、端子ねじを端子金具のねじ孔から取り外したとき、端子ねじが押上げ栓の凸起部により押上げられ、この押上げられた状態を保持するようにカバーの内面に形成された保持部とを備え、端子ねじを取り外した状態で、電線に設けられた銅線用圧着端子（丸形圧着端子）を横方向から挿込んだとき、押上げ栓の摺接面に銅線用圧着端子が摺接して押上げ栓を押込むことにより銅線用圧着端子が螺着位置に挿込まれるようにしたものである。
【発明の効果】
【０００７】
この発明は、銅線用圧着端子を設けた電線を端子金具に螺着または取り外すとき、端子ねじが倒れないように、また、筺体外に脱落しないように保持できる構造にすると共に、端子ねじは日本工業規格（ＪＩＳ）による標準のねじ部品を使用し、他の部品も合成樹脂成型品を用いることができるようにしたので、量産性に適すると共に安価に生産できる端子構造が得られる。
【発明を実施するための最良の形態】
【０００８】
実施の形態１．
図１は実施の形態１における回路遮断器の端子構造の縦側断面図である。図２は実施の形態１における回路遮断器の端子構造の部品のうち、押上げ栓を示す拡大斜視図である。
図３は実施の形態１における回路遮断器の端子構造の電線挿入前の縦側断面図である。図４は実施の形態１における回路遮断器の端子構造の押上げ栓位置に電線を挿入した状態の縦側断面図である。図５は実施の形態１における回路遮断器の端子構造の端子ねじを螺合させたときの縦側断面図である。図６は実施の形態１における回路遮断器の端子構造の電線螺着時の縦側断面図である。
【０００９】
次に、実施の形態１における回路遮断器の端子構造について、図１及び図２を用いて説明するが、この図では筐体の端部に構成された端子構造の部分のみを示し、開閉機構あるいは開閉接点あるいは筐体の主要部などは図示を省略している。図において、ベース１とカバー２からなる筺体は絶縁材料で形成されている。ベース１には、電源回路または負荷回路の電線を接続するための端子金具３が設けてあり、一端にねじ孔３ａが穿設されている。このねじ孔３ａに端子ねじ４を螺合して後述の銅線用圧着端子を設けた電線を螺着する。この場合端子ねじは特殊なねじ部品ではなく、例えば、日本工業規格（ＪＪＳ）による小ねじを用いるが、小ねじの中でも「座金組込み十字穴付きなべ小ねじ」が最も適当である。なお、図中、４ａは端子ねじ４の先端部、４ｂはばね座金、４ｃは平座金であり
、ばね座金４ｂ及び平座金４ｃは端子ねじ４に一体的に組込まれている。
【００１０】
ベース１において、端子金具３の背面側には凹穴部１ａが形成されており、この凹穴部１ａに押上げ栓５が内装されている。押上げ栓５は、図２に示すように、合成樹脂材により凸起部５ａとフランジ部５ｂが形成されたものである。なお、凸起部５ａの先端は、半球状の摺接面５ｃになされている。また、フランジ部５ｂの外周は、凹穴部１ａの内周にほぼ沿うように形成されている。この実施例では円形に形成されているが、凹穴部１ａが四角形ならば、フランジ部５ｂを四角形にしてもよい。上記の押上げ栓５の下側には、圧縮ばね６が内装されており、この圧縮ばね６により押上げ栓５は押上げられて、摺接面５ｃを有する凸起部５ａが端子金具３のねじ孔３ａを貫通して端子金具３の表面側に突出するようになされている。この場合、突出する高さは半球状の摺接面５ｃの部分までになるように設定されている。
【００１１】
７は保持圧縮ばねであり、圧縮ばね６よりも弱い圧縮力により、圧縮ばね６とは逆方向に押上げ栓５を付勢するように設けられている。この保持圧縮ばね７は、圧縮ばね６と併せて押上げ栓５を両側から保持することにより、押上げ栓５が倒れることなく正しく動くようにしたものであるが、押上げ栓５の形状あるいは圧縮ばね６の形状などによっては、この保持圧縮ばね７を省略することも可能である。
【００１２】
上記の押上げ栓５及び圧縮ばね６の働きにより、端子ねじ４の締付けをゆるめて端子金具３のねじ孔３ａから取り外したとき、端子ねじ４は図１において上方に押上げられる。押上げられた端子ねじ４は、カバー２の内面に形成された保持部２ａにより保持される。この場合、保持し易いように、保持部２ａの入口部分が大きくなるように皿取り状に形成したガイド部２ｃが設けてある。
【００１３】
次に、電源回路または負荷回路の電線９を端子金具３に螺着する操作について、図３ないし図６を参照して説明する。この場合、電線９の先端にはＪＩＳ規格による銅線用圧着端子（ＪＥＭ規格の丸形圧着端子に相当）を設けて螺着するものとする。
先ず、銅線用圧着端子８を設けた電線９をベース１とカバー２で構成された筐体の電線挿入口１０から矢印Ａ方向に挿入する。この挿入により、銅線用圧着端子８の先端８ａが
押上げ栓５の半球状の摺接面５ｃの部分に摺接して押上げ栓５が端子金具３のねじ孔３ａの中に押し込まれる。さらに銅線用圧着端子８を矢印Ａ方向に挿入すると、図４に示すように、銅線用圧着端子８の貫通孔８ｂが端子ねじ４の先端４ａの位置に至る。すると、押上げ栓５の半球状の摺接面５ｃが貫通孔８ｂの中に突出して、銅線用圧着端子８が螺着位置に挿入されたことがわかる。
【００１４】
銅線用圧着端子８が螺着位置に挿入された状態で、端子ねじ４をねじ回しで押し込みながら回すと、端子ねじ４は押上げ栓５を押し込んで、図５に示すように端子金具３のねじ孔３ａに螺合される。
【００１５】
さらに端子ねじ４をねじ込むと、図６に示すように銅線用圧着端子８が端子ねじ４により螺着される。このとき、押上げ栓５が押し込まれるので圧縮ばね６は圧縮され、保持圧縮ばね７は伸長する。この圧縮ばね６及び保持圧縮ばね７の働きにより押上げ栓５が倒れることなく正常な状態に保持される。なお、前述のように、押上げ栓５のフランジ部５ｂの外周を凹穴部１ａの内周にほぼ沿うように形成すると共に、フランジ部５ｂの厚さを厚くするか、あるいは、圧縮ばね６の両端を圧縮ばね６の中心線に対して正確に直角に形成すれば保持圧縮ばね７を省略することができる。
【００１６】
端子金具３から電線９を取り外すときは、図６の状態から端子ねじ４をゆるめる。端子金具３のねじ孔３ａから端子ねじ４が外れると、端子ねじ４は押上げ栓５により押上げられて図４の状態になる。この状態から電線９を引っ張ると押上げ栓５の半球状の摺接面５ｃの部分が端子金具３のねじ孔３ａの中に押し込まれるので電線９を引き抜くことができる。上記のようにして、端子ねじ４が倒れることなく、また、筺体外に脱落することなく電線の螺着または取り外しができる。
【図面の簡単な説明】
【００１７】
【図１】この発明の実施の形態１における回路遮断器の端子構造の縦側断面図である。
【図２】この発明の実施の形態１における回路遮断器の端子構造の部品のうち、押上げ栓を示す拡大斜視図である。
【図３】この発明の実施の形態１における回路遮断器の端子構造の電線挿入前の縦側断面図である。
【図４】この発明の実施の形態１における回路遮断器の端子構造の押上げ栓位置に電線を挿入した状態の縦側断面図である。
【図５】この発明の実施の形態１における回路遮断器の端子構造の端子ねじを螺合させたときの縦側断面図である。
【図６】この発明の実施の形態１における回路遮断器の端子構造の電線螺着時の縦側断面図である。
【符号の説明】
【００１８】
１  ベース、１ａ  凹穴部、２  カバー、２ａ  保持孔、２ｃ  ガイド部、３  端子金具、３ａ  ねじ孔、４  端子ねじ、５  押上げ栓、５ａ  凸起部、５ｂ  フランジ部、５ｃ  摺接面、６  圧縮ばね、７  保持圧縮ばね、８  銅線圧着端子、９  電線。
【図１】
2005149757.tif 000003
【図２】
2005149757.tif 000004
【図３】
2005149757.tif 000005
【図４】
2005149757.tif 000006
【図５】
2005149757.tif 000007
【図６】
2005149757.tif 000008